(57)【要約】【課題】  人体各部の周囲長を容易かつ正確に測定可能な周囲長測定方法、周囲長測定システムおよび周囲長測定プログラムを提案する。【解決手段】  端末装置２に格納されたプログラムを起動するステップと、端末装置２に内蔵されたカメラ１７を起動するステップと、ユーザがカメラ１７を用いて撮影した装身用伸縮性編物に表示された基準マークの撮影画像２０１、２０２を画像格納部１５３に保存するステップと、画像格納部に保存されたカメラの撮影画像から装身用伸縮性編物を装着した部位におけるユーザの周囲長を算出部１６１が算出するステップと、算出部が算出した周囲長を表示部１２に表示するステップとを含む。【選択図】  図１１
2018153451.tif 000002
【特許請求の範囲】
【請求項１】
測長用の基準マークが表示された装身用伸縮性編物をユーザが装着するステップと、
前記ユーザが装着した装身用伸縮性編物に表示された前記基準マークをカメラで撮影するステップと、
前記カメラの撮影画像を端末装置に取り込むステップと、
前記端末装置が、前記端末装置に格納されたプログラムに基づいて、前記撮影画像から前記装身用伸縮性編物を装着した部位におけるユーザの周囲長を算出するステップと、
前記端末装置が算出した前記周囲長を表示部に表示するステップと、
を含むことを特徴とする周囲長測定方法。
【請求項２】
前記周囲長を算出した前記端末装置が、前記算出した周囲長を、ネットワークを介してオンラインストレージに送信するステップと、
前記オンラインストレージが、前記端末装置から送信された前記周囲長を時系列的に蓄積するステップと、
を更に含むことを特徴とする請求項１に記載の周囲長測定方法。
【請求項３】
装身用伸縮性編物に表示された基準マークを撮影するカメラと、
前記カメラの撮影画像を保存する画像格納部、前記画像格納部に保存された前記撮影画像から前記装身用伸縮性編物を装着したユーザの前記装身用伸縮性編物を装着した部位における周囲長を算出する算出部および前記算出部が算出した前記周囲長を表示する表示部を有する端末装置と、
を備えたことを特徴とする周囲長測定システム。
【請求項４】
前記端末装置と有線または無線で接続されたネットワークと、
前記ネットワークに有線または無線で接続されたオンラインストレージと、を更に備え、
前記オンラインストレージは、前記ネットワークを介して前記端末装置から送信された前記周囲長を時系列的に蓄積することを特徴とする請求項３に記載の周囲長測定システム。
【請求項５】
前記端末装置は、前記カメラを内蔵していることを特徴とする請求項３または請求項４のいずれか１項に記載の周囲長測定システム。
【請求項６】
前記端末装置は、
前記基準マークが表示された前記装身用伸縮性編物を基準モデルに装着したときの前記基準マークの撮影画像である基準画像を保存する基準画像格納部と、
前記基準画像格納部に保存された前記基準画像と前記画像格納部に保存された前記カメラの撮影画像とから、ユーザが装着した前記装身用伸縮性編物のサイズを抽出するサイズ抽出部と、
を更に備えていることを特徴とする請求項３〜５のいずれか１項に記載の周囲長測定システム。
【請求項７】
前記基準画像格納部は、サイズが異なる複数の前記装身用伸縮性編物にそれぞれ表示された、サイズが異なる複数の前記基準画像を保存していることを特徴とする請求項６に記載の周囲長測定システム。
【請求項８】
前記端末装置は、
サイズが異なる複数の前記装身用伸縮性編物について、各サイズの前記装身用伸縮性編物を着用するに適した前記周囲長の推奨値を保存する推奨値格納部と、
前記算出部が算出した前記周囲長が前記推奨値格納部に保存された前記推奨値の範囲内にあるか否かを判定するサイズ判定部と、
を更に備えていることを特徴とする請求項３〜７のいずれか１項に記載の周囲長測定システム。
【請求項９】
端末装置に格納されたプログラムを起動するステップと、
前記端末装置に内蔵されたカメラを起動するステップと、
ユーザが前記カメラを用いて撮影した装身用伸縮性編物に表示された基準マークの撮影画像を画像格納部に保存するステップと、
前記画像格納部に保存された前記カメラの撮影画像から前記装身用伸縮性編物を装着した部位におけるユーザの周囲長を算出部が算出するステップと、
前記算出部が算出した前記周囲長を表示部に表示するステップと、
を含むことを特徴とする周囲長測定プログラム。
【請求項１０】
前記端末装置が、前記算出部にて算出された周囲長を、ネットワークを介してオンラインストレージに送信するステップと、
前記オンラインストレージが、前記端末装置から送信された前記周囲長を時系列的に蓄積するステップと、
を更に含むことを特徴とする請求項９または請求項１０のいずれか１項に記載の周囲長測定プログラム。
【発明の詳細な説明】
【技術分野】
【０００１】
本発明は、伸縮性のある装身用編物、例えばパンティストッキングやタイツ等の靴下類や、肌着等のインナートップス、ショーツ、ガードルおよびボディスーツ等のインナーボトムス、アームカバー、レッグウォーマー、はらまき、リストバンド、サポーター等を人体に装着したときの編物の伸びを利用して、人体各部の周囲長を測定する方法、システムおよびプログラムに関するものである。
【背景技術】
【０００２】
従来、人々の健康意識の高まりに応じるため、情報処理装置を用いてユーザの健康管理を支援する各種の健康管理支援システムが提供されている（例えば、特許文献１参照）。特許文献１に記載の健康管理支援システムは、ユーザから取得した活動指標データおよび生体指標データから活動指標の変化が生体指標の変化として現れる時間遅れ量を推定し、この推定結果に基づいて、ユーザの活動効果が現れるまでの時間遅れを考慮した健康管理支援を行う。
【０００３】
特許文献１によれば、この健康管理支援システムを利用することにより、ユーザに活動継続に対するモチベーションを維持させることが可能になるとされている。
【０００４】
特許文献１の健康管理支援システムは、生体指標データとして、腹囲を取得する。特許文献１には、腹囲を測定するための具体的な方法について何も記載されていないが、従来の一般的な腹囲測定方法を考慮するならば、ユーザがメジャー（巻尺）等の測長具を用いて腹囲を測定するものと推察される。腹囲の測定結果は、ユーザが、パーソナルコンピュータ（以下、「ＰＣ」という。）等に備えられた入力装置を操作することにより、健康管理支援システムに送信する。
【先行技術文献】
【特許文献】
【０００５】
【特許文献１】特開２０１５−１３２９９１号公報
【発明の概要】
【発明が解決しようとする課題】
【０００６】
しかしながら、従来の健康管理支援システムは、ユーザがメジャー等の測長具を用いて腹囲を測定しなくてはならないので、測定が面倒であるとともに、正確な測定結果を得ることが難しいという問題がある。また、従来の健康管理支援システムは、ユーザが腹囲の測定結果を健康管理支援システムに送信しなくてはならないので、ＰＣ等の操作が面倒であるという問題もある。
【０００７】
なお、このような問題は、腹囲を測定する場合だけでなく、胸囲、首囲、腕囲、腿囲等の人体の他の部位の周囲長を測定する場合にも同様に生じる。
【０００８】
そこで、本発明は、このような従来技術の問題点に鑑み、人体各部の周囲長を容易かつ正確に測定可能で、ＰＣ等の面倒な操作も必要としない周囲長測定方法、周囲長測定システムおよび周囲長測定プログラムを提案するものである。
【課題を解決するための手段】
【０００９】
本発明は、周囲長測定方法に関して、測長用の基準マークが表示された装身用伸縮性編物をユーザが装着するステップと、前記ユーザが装着した装身用伸縮性編物に表示された前記基準マークをカメラで撮影するステップと、前記カメラの撮影画像を端末装置に取り込むステップと、前記端末装置が、前記端末装置に格納されたプログラムに基づいて、前記撮影画像から前記装身用伸縮性編物を装着した部位におけるユーザの周囲長を算出するステップと、前記端末装置が算出した前記周囲長を表示部に表示するステップと、を含むことを特徴とするものである。
【００１０】
また、本発明は、周囲長測定システムに関して、装身用伸縮性編物に表示された基準マークを撮影するカメラと、前記カメラの撮影画像を保存する画像格納部、前記画像格納部に保存された前記撮影画像から前記装身用伸縮性編物を装着したユーザの前記装身用伸縮性編物を装着した部位における周囲長を算出する算出部および前記算出部が算出した前記周囲長を表示する表示部を有する端末装置と、を備えたことを特徴とするものである。
【００１１】
さらに、本発明は、周囲長測定プログラムに関して、端末装置に格納されたプログラムを起動するステップと、前記端末装置に内蔵されたカメラを起動するステップと、ユーザが前記カメラを用いて撮影した装身用伸縮性編物に表示された基準マークの撮影画像を画像格納部に保存するステップと、前記画像格納部に保存された前記カメラの撮影画像から前記装身用伸縮性編物を装着した部位におけるユーザの周囲長を算出部が算出するステップと、前記算出部が算出した前記周囲長を表示部に表示するステップと、を含むことを特徴とするものである。
【００１２】
パンティストッキングやタイツ等の靴下類、肌着等のインナートップス、ショーツ、ガードルおよびボディスーツ等のインナーボトムス、ならびに、アームカバー、レッグウォーマー、はらまき、リストバンド、サポーター等は、いずれも伸縮性に富んだ装身用の編物（本発明においては、これらを総称して「装身用伸縮性編物」という。）であり、人体に装着したときに伸びを生じて人体にフィットする。パンティストッキングを例にとって説明すると、パンティストッキングは、パンティ部とレッグ部とから構成されており、パンティ部には、腹回りにフィットする伸縮性のウエスト部が設けられている。パンティストッキングを装着したとき、ウエスト部の周囲長は、装着したユーザの腹囲に応じて大きくなる。
【００１３】
ところで、パンティストッキングには、ウエスト部に例えばメーカー名や商品名等を表すロゴマークが表示されたものがある。この種のパンティストッキングにおいては、装着したときに、ウエスト部に表示されたロゴマークも腹囲に応じてウエスト部の周方向に伸びる。つまり、パンティストッキングを装着したときのロゴマークの伸び量は、腹囲が大きいユーザが装着した場合には大きくなり、腹囲が小さいユーザが装着した場合には小さくなる。また、ロゴマークの伸び量とウエスト部の周囲長との関係は、予め求めておくことができる。従って、パンティストッキングを装着したときのロゴマークの伸び量を測定することにより、ユーザの腹囲を求めることができる。同様に、胸部、首部、腕部、腿部にロゴマークが表示された各種の装身用伸縮性編物を装着することにより、ユーザの胸囲、首囲、腕囲、腿囲を求めることができる。
【００１４】
なお、腹囲等の測定に適用されるマークは、ロゴマークに限定されるものではなく、一方向の伸び量を測定できるものであれば、どのようなマークであっても良い。本発明においては、腹囲等の測定に適用されるマークを「基準マーク」という。このように、本発明の周囲長測定方法、周囲長測定システムおよび周囲長測定プログラムは、装身用伸縮性編物に表示された基準マークの伸びを利用して、ユーザの腹囲等を測定するものである。
【００１５】
本発明の周囲長測定方法、周囲長測定システムおよび周囲長測定プログラムは、装着した装身用伸縮性編物に表示された基準マークをユーザがカメラで撮影するだけで、ユーザの腹囲等を測定できる。即ち、ユーザがカメラで撮影した撮影画像は、携帯電話、スマートフォン、タブレット端末、ＰＣ等の端末装置に取り込まれる。そして、端末装置は、取り込まれた撮影画像から画像処理により基準マークの伸び量を算出し、算出された基準マークの伸び量に基づいて、ユーザの腹囲等を特定する。
【００１６】
カメラは、端末装置に内蔵されたものを利用できる。従って、ユーザは、腹囲等の測定にメジャー等の測長具を用意する必要がなく、腹囲等の測定を容易に行うことができる。また、本発明の周囲長測定方法、周囲長測定システムおよび周囲長測定プログラムは、撮影画像から画像処理により基準マークの伸び量を自動的に算出するので、メジャー等の測長具を用いる場合に比べて、腹囲等の特定を正確に行うことができる。さらに、本発明の周囲長測定方法、周囲長測定システムおよび周囲長測定プログラムは、腹囲等の測定結果を端末装置に備えられた表示部に表示するので、ユーザはオンラインストレージへの登録を行うことなく、直ちに測定結果を知ることができ、自己の健康管理や体型管理を容易に行うことができる。
【発明の効果】
【００１７】
このように、本発明の周囲長測定方法、周囲長測定システムおよび周囲長測定プログラムによれば、ユーザが腹囲等の人体各部の周囲長測定を容易に行うことができる。また、本発明の周囲長測定方法、周囲長測定システムおよび周囲長測定プログラムによれば、メジャー等の測長具を用いる場合に比べて、腹囲等の人体各部の周囲長測定を正確に行うことができる。さらに、本発明の周囲長測定方法、周囲長測定システムおよび周囲長測定プログラムによれば、端末装置の複雑な操作を行うことなく、自己の健康管理や体型管理を行うことができる。
【図面の簡単な説明】
【００１８】
【図１】実施例１に係る周囲長測定システムの構成図である。
【図２】実施例１に係る端末装置のハードウェア構成図である。
【図３】実施例１に係るＲＯＭの構成図である。
【図４】実施例１に係る基準画像格納部の構成図である。
【図５】実施例１に係る推奨値格納部の構成図である。
【図６】実施例１に係るＣＰＵの機能ブロック図である。
【図７】実施例１に係るオンラインストレージの機能ブロック図である。
【図８】周囲長測定の対象となるパンティストッキングの説明図である。
【図９】装身用伸縮性編物のサイズに応じた基準画像のサイズを示す図である。
【図１０】ユーザの腹囲に応じた撮影画像の変化を示す図である。
【図１１】実施例１に係る周囲長測定システムの動作手順を示すフローチャートである。
【図１２】実施例２に係るオンラインストレージの機能ブロック図である。
【発明を実施するための形態】
【００１９】
以下、本発明に係る周囲長測定方法、周囲長測定システムおよび周囲長測定プログラムの実施形態を実施例１、２に分けて説明する。
【００２０】
〈実施例１〉
実施例１に係る周囲長測定方法、周囲長測定システムおよび周囲長測定プログラムは、端末装置のみを用いてユーザが自己の健康管理や体型管理を行うことを特徴とするものである。
【００２１】
図１に示すように、実施例１に係る周囲長測定システムは、インターネット等のネットワーク１を介して接続された端末装置２およびオンラインストレージ３をもって構成されている。ネットワーク１と端末装置２とは、有線または無線で接続される。また、ネットワーク１とオンラインストレージ３とは、有線または無線で接続される。オンラインストレージ３には、ネットワーク１を介して複数の端末装置２を接続することができる。端末装置２としては、携帯電話、スマートフォン、タブレット端末またはＰＣ等を利用できる。
【００２２】
端末装置２は、図２に示すハードウェア構成のコンピュータにより構成される。図２に示すように、実施例１に係る端末装置２は、入力部１１、表示部１２、通信Ｉ／Ｆ(Interface)１３、ＲＡＭ(Random Access Memory)１４、ＲＯＭ(Read Only Memory)１５、ＣＰＵ(Central Processing Unit)１６およびカメラ１７などを備え、それぞれがバス１８で相互に接続されている。なお、入力部１１及び表示部１２は、必要なときに接続して利用する形態であっても良い。また、カメラ１７については、端末装置２に内蔵されているもののほか、端末装置２とは別体のカメラを用いることもできる。端末装置２とは別体のカメラを用いる場合には、当該別体のカメラの撮影画像を端末装置２に取り込んで使用する。
【００２３】
入力部１１は、タッチパネル、キーボードやマウス等を含んで構成され、ユーザが信号を入力するのに用いられる。表示部１２は、ディスプレイ等を含んで構成され、ＣＰＵ１６による周囲長の算出結果を表示する表示部として機能する。
【００２４】
通信Ｉ／Ｆ１３は、端末装置２をネットワーク１に接続するインタフェースである。これにより、端末装置２は、通信Ｉ／Ｆ１３を介したデータ通信を行うことができる。
【００２５】
ＲＯＭ１５は、電源を切ってもプログラムやデータを保持することができる不揮発性の半導体メモリ（記憶装置）である。ＲＯＭ１５には、ＳＤメモリカード、マイクロＳＤメモリカードおよびＵＳＢ（Universal Serial Bus）メモリ等が含まれる。そして、このＲＯＭ１５には、図３に示すように、端末装置２全体を制御する基本ソフトウェアであるＯＳ(Operating System)を格納するＯＳ格納部１５１、ＯＳ上において周囲長測定機能を提供するアプリケーションプログラムを格納するアプリケーション格納部１５２、カメラ１７の撮影画像を保存する画像格納部１５３、基準マークが表示された装身用伸縮性編物を基準モデルに装着したときの基準マークの撮影画像である基準画像を保存する基準画像格納部１５４、サイズが異なる複数の装身用伸縮性編物について、各サイズの装身用伸縮性編物を着用するに適した周囲長の推奨値を保存する推奨値格納部１５５が含まれる。
【００２６】
ここで、基準モデルとは、サイズが異なる各種の装身用伸縮性編物、例えばＳ（小）サイズ、Ｍ（中）サイズ、Ｌ（大）サイズの装身用伸縮性編物を最適に装着できる周囲長を有するマネキン人形等をいう。基準画像格納部１５４には、図４に示すように、サイズ毎の基準画像１５４ａ、１５４ｂ、１５４ｃが格納される。また、推奨値格納部１５５には、図５に示すように、サイズ毎の周囲長の推奨値１５５ａ、１５５ｂ、１５５ｃが格納される。推奨値１５５ａ、１５５ｂ、１５５ｃは、５０ｃｍ〜５５ｃｍのように、数値の幅で特定される。
【００２７】
なお、ＰＣ等の端末装置２においては、ＯＳおよびアプリケーションプログラムが、ＨＤＤ(Hard Disc Drive)に格納される。また、ＨＤＤに代えて、ＳＤメモリカード、マイクロＳＤメモリカードおよびＵＳＢメモリ等にＯＳおよびアプリケーションプログラムを格納することもできる。
【００２８】
ＲＡＭ１４は、プログラムやデータを一時保持する揮発性の半導体メモリである。
【００２９】
ＣＰＵ１６は、ＲＯＭ１５からプログラムやデータをＲＡＭ１４上に読み出し、処理を実行することで、端末装置２全体の制御や機能を実現する演算装置である。実施例１に係るＣＰＵ１６は、図６に示すように、カメラ１７の撮影画像から装身用伸縮性編物を装着したユーザの装身用伸縮性編物を装着した部位におけるユーザの周囲長を算出する算出部１６１として機能する。また、実施例１係るＣＰＵ１６は、基準画像格納部１５４に保存された基準画像と画像格納部１５３に保存されたカメラ１７の撮影画像とから、ユーザが装着した装身用伸縮性編物のサイズを抽出するサイズ抽出部１６２として機能する。さらに、実施例１に係るＣＰＵ１６は、算出部１６１が算出した周囲長が推奨値格納部１５５に保存された推奨値の範囲内にあるか否かを判定するサイズ判定部１６３として機能する。
【００３０】
実施形態に係る端末装置２は、上記したハードウェア構成により、装身用伸縮性編物を装着したユーザの装身用伸縮性編物を装着した部位における周囲長を算出して表示部に表示する処理を実現できる。
【００３１】
オンラインストレージ３も、カメラ１７を備えていないことを除いて、図２に示したとほぼ同様のハードウェア構成を有する。実施例１に係るオンラインストレージ３は、図７に示すように、アプリケーションプログラムを格納したアプリケーション格納部３１と、基準画像を保存する基準画像格納部３２と、各サイズの装身用伸縮性編物について、これを着用するに適した周囲長の推奨値を保存する推奨値格納部３３と、端末装置からのアクセスを受け付ける受付処理部３４と、端末装置２からのアクセスに応じてアプリケーション格納部３１に格納されたアプリケーションプログラム、基準画像格納部３２に格納された基準画像および推奨値格納部３３に格納された推奨値を端末装置２に送信する送信処理部３５と、を備えている。
【００３２】
実施例１に係る周囲長測定システムは、カメラ１７を用いて装身用伸縮性編物に表示された基準マークを撮影することで、ユーザの腹囲、胸囲、首囲、腕囲、腿囲等の周囲長を算出し、算出された周囲長を表示部１２に表示する。
【００３３】
図８に、基準マークが表示された装身用伸縮性編物の一例として、基準マークが表示されたパンティストッキングを示す。図８に示すように、本例のパンティストッキング１００は、パンティ部１０１とレッグ部１０２とが一体に形成されており、パンティ部１０１の開口端部には、伸縮性のウエスト部１０３が形成されている。ウエスト部１０３の外面の一部には、基準マーク１０４がカメラ１７により撮影可能な形態で表示されている。図８の例においては、基準マーク１０４が、パンティストッキング１００を装着したときに、人体の腹側の中央に当たる部分に表示されている。また、図８の例においては、基準モデルに装着したときに正三角形となる基準マーク１０４がウエスト部１０３に表示されている。もちろん、基準マークの形状に関しては制限があるものではなく、カメラ１７を用いてその形状を撮影可能なものであれば良い。基準マーク１０４は、印刷、レーザー描出、編み込みなどの方法で、ウエスト部１０３に表示できる。
【００３４】
パンティストッキング１００は、体格が異なるユーザの利用に供するため、例えばＳサイズ、Ｍサイズ、Ｌサイズ等に区分された各種サイズのものが市販されている。図９は、各サイズのパンティストッキング１００に表示される基準マーク１０４を撮影した基準画像２００を示している。本例においては、サイズが大きいパンティストッキング１００ほど、ウエスト部１０３に大型の基準マーク１０４が表示されている。従って、各サイズのパンティストッキング１００を各サイズに適合する基準モデルに装着したときの基準画像２００も、図９に示すように、サイズが大きいパンティストッキング１００ほど大きくなる。
【００３５】
ユーザがパンティストッキング１００を装着すると、ユーザの腹囲に応じて、基準マーク１０４が伸縮する。図１０は、基準モデルよりも腹囲が小さいユーザがある特定サイズのパンティストッキング１００を装着したときの基準マーク１０４の撮影画像２０１と、基準モデルよりも腹囲が大きいユーザが同一サイズのパンティストッキング１００を装着したときの基準マーク１０４の撮影画像２０２とを、当該サイズのパンティストッキング１００の基準画像２００と比較して示している。この図から明らかなように、基準モデルよりも腹囲が小さいユーザがある特定サイズのパンティストッキング１００を装着したときの撮影画像２０１の下辺の長さＬ１は、基準画像２００の下辺の長さＬよりも小さくなる。これに対して、基準モデルよりも腹囲が大きいユーザが同一サイズのパンティストッキング１００を装着したときの撮影画像２０２の下辺の長さＬ２は、基準画像２００の下辺の長さＬよりも大きくなる。
【００３６】
ユーザの腹囲と、撮影画像２０１、２０２の下辺の長さＬ１、Ｌ２との関係は、予め求めることができる。従って、撮影画像２０１、２０２の長さＬ１、Ｌ２を求めることにより、ユーザの腹囲を算出することができる。基準画像２００の下辺の長さＬおよび撮影画像２０１、２０２の下辺の長さＬ１、Ｌ２は、各画像の下辺の一端から他端までのピクセル数をカウントすることにより求めることができる。
【００３７】
なお、ユーザの腹囲に応じて撮影画像２０１、２０２の高さＨも変化するが、ウエスト部１０３は主としてユーザの腹囲に応じて周方向に伸縮するものであるので、高さＨの変化については無視できる。従って、撮影画像２０１、２０２の高さＨを算出することにより、ユーザが装着したパンティストッキングのサイズを抽出することができる。基準画像２００の高さＨおよび撮影画像２０１、２０２の高さＨは、各画像の頂点から下辺の中点までのピクセル数をカウントすることにより求めることができる。
【００３８】
次に、実施例１に係る周囲長測定システムを用いた周囲長の測定方法を、パンティストッキング１００を装着したユーザが腹囲を測定する場合を例にとり、図１１に示すフローチャートにしたがって説明する。以下に説明する周囲長の測定方法は、アプリケーション格納部１５２に格納されたアプリケーションプログラムを実行することにより行われる。
【００３９】
まず、ユーザは、端末装置２の入力部１１を操作して、オンラインストレージ３にアクセスし、オンラインストレージ３に対して、アプリケーション格納部３１に格納されている周囲長測定用のアプリケーションプログラムと、基準画像格納部３２に格納されている基準画像と、推奨値格納部３３に格納されている推奨値のダウンロードを要求する（ステップＳ１）。オンラインストレージ３は、ユーザからのダウンロード要求を受付処理部３４が受け付けた（ステップＳ２）後、送信処理部３５を起動（ステップＳ３）して、アプリケーション格納部３１に格納されている周囲長測定用のアプリケーションプログラムと、基準画像格納部３２に格納されている基準画像と、推奨値格納部３３に格納されている推奨値とを端末装置２に送信する（ステップＳ４）。
【００４０】
オンラインストレージ３からダウンロードされたアプリケーションプログラム、基準マークの撮影画像および推奨値は、それぞれ端末装置２のアプリケーション格納部１５２、基準画像格納部１５４および推奨値格納部１５５に格納される。
【００４１】
なお、周囲長測定用のアプリケーションプログラム等が予めダウンロードされている端末装置２については、ステップＳ１〜ステップＳ４の手順を省略できる。
【００４２】
周囲長測定用のアプリケーションプログラム等をダウンロードしたユーザは、端末装置２の入力部１１を操作して、ダウンロードした周囲長測定用のアプリケーションプログラムを起動する（ステップＳ５）。周囲長測定用のアプリケーションプログラムを起動すると、端末装置２は自動的にカメラ１７を起動し、カメラ１７を撮影モードに切り換える（ステップＳ６）。
【００４３】
この状態において、ユーザは、装着したパンティストッキング１００に表示された基準マーク１０４を撮影する（ステップＳ７）。基準マーク１０４の撮影は、カメラ１７の対物レンズを直接基準マーク１０４に向けることにより行うこともできるし、パンティストッキング１００に表示された基準マーク１０４を鏡に写し出し、この鏡に写し出された基準マーク１０４にカメラ１７の対物レンズを向けることにより行うこともできる。基準マーク１０４の撮影画像２０１、２０２は、ＲＯＭ１５の画像格納部１５３に格納される（ステップＳ８）。
【００４４】
次に、ＣＰＵ１６のサイズ抽出部１６２は、画像格納部１５３に格納された撮影画像２０１、２０２の高さＨから、ユーザが装着したパンティストッキング１００のサイズを抽出する（ステップＳ９）。具体的には、撮影画像２０１、２０２の高さＨと図９に示した各種サイズの基準画像２００の高さＨとを比較し、高さＨが一致もしくはほぼ一致する基準画像２００を撮影したパンティストッキング１００のサイズを、ユーザが装着したパンティストッキング１００のサイズとして抽出する。
【００４５】
しかる後に、ＣＰＵ１６の算出部１６１は、画像格納部１５３に格納された撮影画像２０１、２０２の下辺の長さＬ１、Ｌ２と、サイズ抽出部１６２により抽出されたパンティストッキング１００のサイズとから、パンティストッキング１００を装着したユーザの腹囲を算出する（ステップＳ１０）。ユーザの腹囲の算出方法は、上記した通りである。算出したユーザの腹囲は、表示部１２に表示する（ステップＳ１１）。ユーザは、表示部１２に表示された腹囲を見ることにより、現在の自分の腹囲を知ることができる。
【００４６】
次に、ＣＰＵ１６のサイズ判定部１６３は、推奨値格納部１５５に格納された推奨値を参照して、ユーザが装着しているパンティストッキング１００が、ユーザの腹囲に比べて過大であるのか、過小であるのかを判定する（ステップＳ１２）。サイズ判定部１６３の判定結果は、表示部１２に表示する（ステップＳ１３）。ユーザは、表示部１２に表示された判定結果を見ることにより、次回パンティストッキングを購入する際の参考とすることができる。
【００４７】
以上説明したように、実施例１に係る周囲長測定システムは、カメラ１７の撮影画像に基づいて、ユーザの腹囲が自動的に測定されるので、メジャー等の測定具を用いて腹囲を測定する場合に比べて腹囲を容易かつ正確に測定できる。また、ユーザは、カメラ１７を用いて、装着したパンティストッキング１００に表示された基準マーク１０４を撮影するだけで、自己の現在の腹囲を知ることができるので、自己の健康管理及び体型管理を容易に行うことができる。さらに、実施例１に係る周囲長測定システムは、ＣＰＵ１６にサイズ判定部１６３を備えるので、自分が購入したパンティストッキング１００が適正サイズのものであるのか否かを知ることができ、次回パンティストッキング１００を購入する際の参考にすることができる。
【００４８】
〈実施例２〉
実施例２に係る周囲長測定方法、周囲長測定システムおよび周囲長測定プログラムは、端末装置２で算出された腹囲を、オンラインストレージに登録して管理することを特徴とするものである。
【００４９】
実施例２に係るオンラインストレージ３は、図１２に示すように、アプリケーション格納部３１、基準画像格納部３２、推奨値格納部３３、受付処理部３４および送信処理部３５に加えて、ユーザ情報格納部３６を更に備えている。ユーザ情報格納部３６には、ユーザから送信された腹囲情報が時系列的にユーザの識別情報とともに格納される。その他の構成については、実施例１に係る周囲長測定システムと同じであるので、重複を避けるために説明を省略する。
【００５０】
ユーザは、端末装置２を用いて腹囲を測定した後、ネットワーク１を介してオンラインストレージ３に腹囲情報を送信する。オンラインストレージ３は、端末装置２から送信された腹囲情報を、ユーザ毎に、ユーザ情報格納部３６に時系列的に格納する。これにより、ユーザは、腹囲の変化履歴を保存することができ、自己の健康管理および体型管理をより実効性の高いものにできるとともに、オンラインストレージ３の管理人から、健康や体型に関する助言を受けるなどのサービスを受けることが可能になる。一方、オンラインストレージ３の管理人は、ユーザの腹囲の分布を知ることができ、パンティストッキング１００の生産計画にフィードバックさせることができる。
【００５１】
なお、本発明の範囲は、実施例１、２に記載の範囲に限定されるものではなく、特許請求の範囲に記載された本発明の要旨を変更しない範囲で、様々に変形を加えて実施されるものも含まれる。
【００５２】
例えば、実施例１、２においては、パンティストッキング１００の伸びを利用してユーザの腹囲を測定したが、タイツ、レギンス、トレンカ、インナートップス、ショーツ、ガードル、ボディスーツ、アームカバー、レッグウォーマー、はらまき等の他の装身用伸縮性編物の伸びを利用して、ユーザの胸囲、首囲、腕囲、腿囲を測定することもできる。
【００５３】
また、実施例１、２においては、ＲＯＭ１５に推奨値格納部１５５を備えるとともに、ＣＰＵ１６にサイズ判定部１６３を備えて、ユーザが装着したパンティストッキング１００のサイズが適正であるか否かの判定を行うが、これについては省略することもできる。
【符号の説明】
【００５４】
１−ネットワーク
２−端末装置
３−オンラインストレージ
１１−入力部
１２−表示部
１３−通信Ｉ／Ｆ
１４−ＲＡＭ
１５−ＲＯＭ
１５１−ＯＳ格納部
１５２−アプリケーション格納部
１５３−画像格納部
１５４−基準画像格納部
１５５−推奨値格納部
１６−ＣＰＵ
１６１−算出部
１６２−サイズ抽出部
１６３−サイズ判定部
１７−カメラ
１８−バス
３１−アプリケーション格納部
３２−基準画像格納部
３３−推奨値格納部
３４−受付処理部
３５−送信処理部
１００−パンティストッキング
１０１−パンティ部
１０２−レッグ部
１０３−ウエスト部
１０４−基準マーク
２００−基準画像
２０１、２０２−撮影画像
【図１】
2018153451.tif 000003
【図２】
2018153451.tif 000004
【図３】
2018153451.tif 000005
【図４】
2018153451.tif 000006
【図５】
2018153451.tif 000007
【図６】
2018153451.tif 000008
【図７】
2018153451.tif 000009
【図８】
2018153451.tif 000010
【図９】
2018153451.tif 000011
【図１０】
2018153451.tif 000012
【図１１】
2018153451.tif 000013
【図１２】
2018153451.tif 000014